(57)【要約】【課題】特許庁と出願人等との間の争点の確認を容易に行うこと。【解決手段】データ取得部１０１は、特許庁が発行した書面の書面データ及び特許庁へ提出した書面の書面データを含む産業財産権情報を取得する。表示用データ生成部１０４は、取得した書面データと書面データの書面の発行日または提出日の日付データとを対応付ける。表示部１０５は、対応付けた日付データに基づいて、特許庁が発行した書面データと特許庁へ提出した書面データとを同一画面上に並べて表示する。【選択図】図１
2010086061.tif 000002
【特許請求の範囲】
【請求項１】
特許庁が発行した書面の書面データ及び特許庁へ提出した書面の書面データを取得する取得手段と、
取得した前記書面データと前記書面データの書面の発行日または提出日の日付データとを対応付ける対応付け手段と、
対応付けた前記日付データに基づいて、特許庁が発行した前記書面データと特許庁へ提出した前記書面データとを同一画面上に並べて表示する表示手段と、
を具備する産業財産権に関する書面表示装置。
【請求項２】
前記表示手段は、表示されている前記書面データと未表示の前記書面データとを切り替え表示する請求項１記載の産業財産権に関する書面表示装置。
【請求項３】
前記表示手段は、出願経過に応じた複数の段階毎に前記書面データを一括表示する請求項１記載の産業財産権に関する書面表示装置。
【請求項４】
前記表示手段は、産業財産権に関する各アクションを出願毎に時系列に並べた出願経過情報を表示するとともに、表示した前記出願経過情報の選択された前記アクションの前記書面データを表示する請求項１記載の産業財産権に関する書面表示装置。
【請求項５】
特許庁が発行した書面の書面データ及び特許庁へ提出した書面の書面データを表示する表示装置における産業財産権に関する書面表示方法であって、
前記書面データを取得するステップと、
取得した前記書面データと前記書面データの書面の発行日または提出日の日付データとを対応付けるステップと、
対応付けた前記日付データに基づいて、特許庁が発行した前記書面データと特許庁へ提出した前記書面データとを同一画面上に並べて表示するステップと、
を具備する産業財産権に関する書面表示方法。
【発明の詳細な説明】
【技術分野】
【０００１】
本発明は、産業財産権に関する書面表示装置及び産業財産権に関する書面表示方法に関し、特に特許庁が発行した書面の書面データと特許庁へ提出した書面の書面データとを比較可能に表示する産業財産権に関する書面表示装置及び産業財産権に関する書面表示方法に関する。
【背景技術】
【０００２】
従来、出願経過を監視する特許監視システムにおいて、検索期間内になんらかの経過情報が生じた場合、経過コード、項目及び日付が表示された検索レポートを監視受託会社から各担当者に送信するものが知られている（例えば、特許文献１）。
【０００３】
また、従来、出願経過を手続フローチャートにより画面に表示する出願経過情報の表示方法が知られている（例えば、特許文献２）。
【特許文献１】特開２００２−７６０８号公報
【特許文献２】特開２００２−７５４７号公報
【発明の開示】
【発明が解決しようとする課題】
【０００４】
しかしながら、特許文献１及び特許文献２においては、出願経過の何れの段階まで手続が進行しているかは分かるものの、出願経過の各アクションにおいて特許庁が発行した書面または特許庁へ提出された書面の内容を知ることはできない。一般的に、第３者は、特許庁が発行した書面と出願人等が特許庁へ提出した書面とを比較することにより、特許庁と出願人等との間の争点を確認することができる。例えば、第３者は、拒絶理由通知における拒絶理由と意見書における拒絶理由に対する反論内容とを比較することにより、特許庁と出願人との間の争点を確認することができる。しかし、特許文献１及び特許文献２においては、別途特許庁に対して包袋閲覧の申請等を行って、上記の書面を入手して比較する必要があり、特許庁と出願人等との間の争点を容易に確認することができないという問題がある。
【０００５】
本発明はかかる点に鑑みてなされたものであり、特許庁と出願人等との間の争点の確認を容易に行うことができる産業財産権に関する書面表示装置及び産業財産権に関する書面表示方法を提供することを目的とする。
【課題を解決するための手段】
【０００６】
本発明の産業財産権に関する書面表示装置は、特許庁が発行した書面の書面データ及び特許庁へ提出した書面の書面データを取得する取得手段と、取得した前記書面データと前記書面データの書面の発行日または提出日の日付データとを対応付ける対応付け手段と、対応付けた前記日付データに基づいて、特許庁が発行した前記書面データと特許庁へ提出した前記書面データとを同一画面上に並べて表示する表示手段と、を具備する構成を採る。
【０００７】
本発明の産業財産権の手続書面表示方法は、特許庁が発行した書面の書面データ及び特許庁へ提出した書面の書面データを表示する表示装置における産業財産権に関する書面表示方法であって、前記書面データを取得するステップと、取得した前記書面データと前記書面データの書面の発行日または提出日の日付データとを対応付けるステップと、対応付けた前記日付データに基づいて、特許庁が発行した前記書面データと特許庁へ提出した前記書面データとを同一画面上に並べて表示するステップと、を具備するようにした。
【発明の効果】
【０００８】
本発明によれば、特許庁と出願人等との間の争点の確認を容易に行うことができる。
【発明を実施するための最良の形態】
【０００９】
以下、本発明の実施の形態について、図面を参照して詳細に説明する。
【００１０】
（実施の形態１）
図１は、本発明の実施の形態１に係る産業財産権に関する書面表示装置１００の構成を示すブロック図である。
【００１１】
産業財産権に関する書面表示装置１００は、データ取得部１０１、入力部１０２、記憶部１０３、表示用データ生成部１０４及び表示部１０５から主に構成される。
【００１２】
データ取得部１０１は、特定の出願の出願経過情報の表示を指示する信号が入力部１０２から入力した際に、外部のデータベースまたはＣＤ−ＲＯＭ等の記憶媒体から、表示を指示された出願の産業財産権情報を取得する。そして、データ取得部１０１は、取得した産業財産権情報を表示用データ生成部１０４へ出力する。
【００１３】
ここで、産業財産権情報とは、例えばＸＭＬのデータ形式で取得される情報であり、産業財産権に関する書面の書面データ（以下「書面データ」と記載する）を含んでいる。また、書面データは、ＸＭＬデータにおいて定義された産業財産権に関する書面毎に固有の書面コード及び文字変換テーブルを含むデータである。また、産業財産権に関する書面とは、特許庁から発行された書面、出願人から特許庁へ提出された書面、または第３者から特許庁へ提出された書面である。また、特許庁から発行された書面とは、例えば、拒絶理由通知及び拒絶査定謄本等である。また、出願人から特許庁へ提出された書面とは、例えば、願書、出願審査請求書、手続補正書及び意見書等である。また、第３者から特許庁へ提出された書面とは、例えば、刊行物等提出書等である。また、文字変換テーブルは、書面コードと文字データとを出願毎に対応付けたテーブルである。また、文字変換テーブルの文字データは、産業財産権に関する書面の記載内容のデータである。なお、産業財産権情報は、例えば、２週間毎等の所定の周期で特許庁から提供される情報である。
【００１４】
入力部１０２は、キー、タッチパネルまたはマウス等の入力デバイスであり、出願経過情報を表示する外部からの指示を受け付け、表示を指示された出願の産業財産権情報を取得する指示信号をデータ取得部１０１へ出力する。また、入力部１０２は、表示した出願経過情報の中の特定のアクションの書面データを表示する外部からの指示を受け付け、表示を指示された書面データを表示する指示信号を表示用データ生成部１０４へ出力する。
【００１５】
記憶部１０３は、表示用データ生成部１０４から入力した産業財産権情報を記憶する。
【００１６】
表示用データ生成部１０４は、データ取得部１０１から産業財産権情報が入力した際に、手続の種別毎に固有の手続コード及び日付データを産業財産権情報から読み出す。また、表示用データ生成部１０４は、読み出した手続コードを用いて、産業財産権情報に含まれる文字変換テーブルを参照することにより文字データを選択する。また、表示用データ生成部１０４は、日付データと選択した文字データとを対応付ける対応付け処理を実行するとともに、対応付け処理したデータを表示用データに変換するデータ変換処理を実行して表示用データを生成する。そして、表示用データ生成部１０４は、生成した表示用データを表示部１０５へ出力するとともに、産業財産権情報を記憶部１０３に記憶させる。なお、この際、表示用データ生成部１０４が参照する文字変換テーブルは、書面データに含まれる文字変換テーブルとは異なり、手続コードと手続の種別を示す文字データとを対応付けたテーブルであり、産業財産権情報に含まれている。
【００１７】
また、表示用データ生成部１０４は、出願経過情報の中の特定のアクションの書面データの表示を指示する信号が入力部１０２から入力した場合に、記憶部１０３に記憶している産業財産権情報から、対応する出願の指示された書面の書面コードを読み出す。また、表示用データ生成部１０４は、読み出した書面コードを用いて、記憶部１０３に記憶している文字変換テーブルを参照することにより、文字データを選択する。また、表示用データ生成部１０４は、表示を指示された出願の各書面の提出日または発送日等の日付データを記憶部１０３に記憶している産業財産権情報から読み出して、読み出した日付データと選択した文字データとを各々対応付ける対応付け処理を実行する。また、表示用データ生成部１０４は、選択した文字データを、特許庁が発行した書面の文字データと、出願人または第３者が特許庁へ提出した書面の文字データとに選別する選別処理を実行する。そして、表示用データ生成部１０４は、選別した文字データを、特許庁が発行した書面データと、出願人または第３者が特許庁へ提出した書面データとを対比表示するとともに、日付データの日付順に順次表示される表示用データに変換するデータ変換処理を実行して表示用データを生成する。
【００１８】
表示部１０５は、表示用データ生成部１０４から入力した表示用データに対して表示処理を実行する。そして、表示部１０５は、出願経過情報を表示するとともに、特許庁が発行した書面データと、出願人または第３者が特許庁へ提出した書面データとを、書面の発行日または提出日の日付順に対比表示する。ここで、データ変換処理及び表示処理は、例えば、ブラウザを使ってＸＭＬデータを表示する処理である。
【００１９】
次に、産業財産権に関する書面表示装置１００の動作について、図２を用いて説明する。図２は、産業財産権に関する書面表示装置１００の動作を示すシーケンス図である。
【００２０】
最初に、入力部１０２は、出願経過情報の表示を指示する外部入力を受け付けて、受け付けた外部入力に応じた信号をデータ取得部１０１へ出力する（ステップＳＴ２０１）。
【００２１】
次に、データ取得部１０１は、対応する出願の産業財産権情報を取得する（ステップＳＴ２０２）。
【００２２】
次に、データ取得部１０１は、取得した産業財産権情報を表示用データ生成部１０４へ出力する（ステップＳＴ２０３）。
【００２３】
次に、表示用データ生成部１０４は、産業財産権情報に含まれる出願記録、審査記録及び審判記録の各タグを識別する。また、表示用データ生成部１０４は、識別した各タグに挟まれる発行日または提出日等の日付データと手続コードとを産業財産権情報から抽出する。また、表示用データ生成部１０４は、抽出した手続コードを用いて、産業財産権情報に含まれる文字変換テーブルを参照することにより、抽出した手続コードに対応する文字データを取得する。ここで、手続コードは、例えば拒絶理由通知、手続補正書提出または意見書提出等の手続の種別毎に固有の数値化されたものである。
【００２４】
また、表示用データ生成部１０４は、抽出した日付データと文字データとを対応付ける対応付け処理を実行するとともに、対応付け処理したデータを、出願経過情報として時系列で表示するための表示用データに変換するデータ変換処理を実行する。
【００２５】
そして、表示用データ生成部１０４は、表示用データを表示部１０５に出力する（ステップＳＴ２０４）。
【００２６】
次に、表示用データ生成部１０４は、産業財産権情報を記憶部１０３に記憶させる（ステップＳＴ２０５）。
【００２７】
次に、表示部１０５は、表示処理を実行して出願経過情報を表示する。
【００２８】
また、入力部１０２は、表示部１０５に表示された出願経過情報の特定のアクションの書面データを表示する外部からの指示を受け付け、表示を指示された書面データを表示する指示信号を表示用データ生成部１０４へ出力する（ステップＳＴ２０６）。
【００２９】
次に、表示用データ生成部１０４は、表示を指示された書面データのアクションと一致する手続の手続コードを記憶部１０３に記憶している産業財産権情報から検出する（ステップＳＴ２０７）。また、表示用データ生成部１０４は、検出した手続コードが挟まれるタグと同一のタグに挟まれる書面コードを記憶部１０３から読み出す（ステップＳＴ２０８）。
【００３０】
次に、表示用データ生成部１０４は、読み出した書面コードを用いて、記憶部１０３に記憶している文字変換テーブルを参照することにより（ステップＳＴ２０９）、取得した書面コードに対応する文字データを選択する（ステップＳＴ２１０）。
【００３１】
また、この際、表示用データ生成部１０４は、ステップＳＴ２０８において書面コードを読み出した出願における他の書面コードも産業財産権情報から読み出して、読み出した書面コードを用いて文字変換テーブルを参照することにより文字データを選択する。また、表示用データ生成部１０４は、読み出した各々の書面コードが含まれる各タグより書面の発行日または提出日の日付データを抽出し、抽出した日付データと選択した文字データとを各々対応付ける対応付け処理を実行する。
【００３２】
また、表示用データ生成部１０４は、取得した文字データを、特許庁が発行した書面の文字データと、出願人または第３者が特許庁へ提出した書面の文字データとに選別する。そして、表示用データ生成部１０４は、選別した文字データを表示用データに変換するデータ変換処理を実行する。
【００３３】
そして、表示用データ生成部１０４は、生成した表示用データを表示部１０５に出力する（ステップＳＴ２１１）。
【００３４】
次に、表示部１０５は、特許庁から発行された書面データと、出願人または第３者から特許庁に提出した書面データとを対比表示する。
【００３５】
また、表示用データ生成部１０４は、表示部１０５に対比表示する書面データの表示の切り替えの指示を入力部１０２から受けた際に（ステップＳＴ２１２）、受けた指示に応じて、対応付け処理により対応付けた日付データの日付順に、指示された書面の表示用データを表示部１０５へ出力する（ステップＳＴ２１３）。
【００３６】
次に、表示部１０５は、現在表示している書面データと現在未表示の書面データとを切り替えて対比表示する。
【００３７】
次に、図３〜図６を用いて、産業財産権に関する書面表示装置１００の動作について、さらに詳細に説明する。図３は、書面データを対比表示する前の表示部１０５の表示画面を示す図であり、図４は、ＸＭＬのデータ形式の産業財産権情報の一部を示す図であり、図５は、文字変換テーブルを示す図であり、図６は、書面データを対比表示した場合の表示部１０５の表示画面を示す図である。
【００３８】
図３に示すように、表示部１０５は、経過情報表示エリア＃３０１、書面表示エリア＃３０２及び書面表示エリア＃３０３の３つの表示エリアに分けて表示する。なお、このような表示は、ＳＭＬを用いてＸＭＬデータをＨＴＭＬデータに変換することにより可能である。
【００３９】
図３において、表示部１０５は、経過情報表示エリア＃３０１に出願経過情報を表示する。また、図３は、表示部１０５が図２のステップ２０４において取得した表示用データを用いて表示した画面である。従って、図３の場合、表示部１０５は、書面表示エリア＃３０２及び書面表示エリア＃３０３には何も表示しない。
【００４０】
また、表示部１０５は、経過情報表示エリア＃３０１について、出願記録表示エリア＃３１０、審査記録表示エリア＃３１１及び審判記録表示エリア＃３１２の３つの表示エリアに区分して表示する。各表示エリアは、画面の背景色を異ならせる等により、視覚的に識別可能に表示する。また、表示部１０５は、経過情報表示エリア＃３０１について、出願人または第３者のアクションを表示する提出エリア＃３２０と、特許庁のアクションを表示する発行エリア＃３２１とに区分して表示する。
【００４１】
また、出願記録表示エリア＃３１０、審査記録表示エリア＃３１１及び審判記録表示エリア＃３１２の各エリアには、エリア毎に全てのアクションの書面データを一括表示させるための一括表示ボタン＃３３０〜＃３３２が表示されている。例えば、一括表示ボタン＃３３０が選択された場合には、表示部１０５は、出願記録表示エリア＃３１０に表示されている願書の書面データを書面表示エリア＃３０２に表示する。また、一括表示ボタン＃３３１が選択された場合には、表示部１０５は、審査記録表示エリア＃３１１に表示されている出願審査請求、手続補正書及び意見書の各書面データを書面表示エリア３０２に一括表示するとともに、審査記録表示エリア＃３１１に表示されている拒絶理由通知及び拒絶査定の各書面データを書面表示エリア＃３０３に一括表示する。また、一括表示ボタン＃３３２が選択された場合には、表示部１０５は、審判記録表示エリア＃３１２に表示されている拒絶査定不服審判及び手続補正書の各書面データを書面表示エリア＃３０２に表示する。
【００４２】
図３において、例えば、審査記録表示エリア＃３１１に表示される「拒絶理由通知」の項目と「手続補正書」の項目が入力部１０２により選択された場合、表示用データ生成部１０４は、産業財産権情報を検索して、図４に示すように、「拒絶理由通知」の手続コード＃４５１を挟むタグ＃４１０、＃４１１を検出する。また、表示用データ生成部１０４は、検出したタグ＃４１０、＃４１１に挟まれる書面コード＃４５４及び日付データ＃４５０を抽出する。
【００４３】
同様に、表示用データ生成部１０４は、産業財産権情報を検索して、図４に示すように、「手続補正書」の手続コード＃４５３を挟むタグ＃４１２、＃４１３を検出する。また、表示用データ生成部１０４は、検出したタグ＃４１２、＃４１３に挟まれる書面コード＃４５５及び日付データ＃４５２を抽出する。
【００４４】
そして、表示用データ生成部１０４は、抽出した書面コード＃４５４及び書面コード＃４５５を用いて図５の文字変換テーブルを参照する。
【００４５】
図５より、表示用データ生成部１０４は、書面コード＃４５４に対応する文字データ＃５０１及び書面コード＃４５５に対応する文字データ＃５０２を選択する。
【００４６】
さらに、表示用データ生成部１０４は、記憶部１０３に記憶している産業財産権情報を検索して、出願経過情報を表示する出願における書面コード＃４５４、＃４５５以外の他の書面コードを抽出する。図４の場合、表示用データ生成部１０４は、書面コード＃４５７を抽出する。また、表示用データ生成部１０４は、抽出した書面コード＃４５７を挟むタグ＃４１４とタグ＃４１５とにより挟まれている日付データ＃４５６を抽出する。また、表示用データ生成部１０４は、抽出した書面コード＃４５７を用いて図５の文字変換テーブルを参照する。図５より、表示用データ生成部１０４は、書面コード＃４５７に対応する文字データ＃５０３を選択する。
【００４７】
このように、表示用データ生成部１０４は、出願経過情報を表示する出願について、全ての書面コードとそれに対応する日付データとを抽出するとともに、抽出した各書面コードを用いて文字変換テーブルを参照することにより選択した文字データと日付データとを各々対応付ける対応付け処理を実行する。
【００４８】
また、表示用データ生成部１０４は、選択した文字データ＃５０１を表示用データに変換するデータ変換処理を実行し、表示部１０５は、図６に示すように、拒絶理由通知の書面データ＃６０１を書面表示エリア＃３０２に表示する。また、表示用データ生成部１０４は、選択した文字データ＃５０２を表示用データに変換するデータ変換処理を実行し、表示部１０５は、手続補正書の書面データ＃６０２を書面表示エリア＃３０３に表示する。これにより、表示部１０５は、拒絶理由通知＃６０１と手続補正書＃６０２とを対比表示することができる。即ち、表示部１０５は、拒絶理由通知における拒絶理由と、手続補正書における拒絶理由に対する補正内容とを自動的に対比表示することができる。
【００４９】
また、図６に示すように、表示部１０５は、書面表示エリア＃３０２内に前進ボタン＃６１０及び後進ボタン＃６１１を表示する。また、表示部１０５は、書面表示エリア＃３０３内に前進ボタン＃６１２及び後進ボタン＃６１３を表示する。これにより、前進ボタン＃６１０、＃６１２が選択された場合には、現在表示している書面データ＃６０１、＃６０２の発行日よりも新しい日付の発行日の書面データを、書面データ＃６０１、＃６０２の代わりに表示する。一方、後進ボタン＃６１１、＃６１３が選択された場合には、現在表示している書面データ＃６０１、＃６０２の発行日よりも古い日付の発行日の書面データを、書面データ＃６０１、＃６０２の代わりに表示する。表示用データ生成部１０４は、日付データと文字データとを対応付ける対応付け処理を実行するので、前進ボタン＃６１０、＃６１２または後進ボタン＃６１１、＃６１３が選択された際に、瞬時に書面データの発行日または提出日の日付順に順次切り替え可能に各書面データを対比表示することができる。
【００５０】
このように、本実施の形態によれば、特許庁が発行した書面の書面データと特許庁へ提出した書面の書面データとを比較可能に表示することにより、特許庁と出願人等との間の争点の確認を容易に行うことができる。
【００５１】
（実施の形態２）
図７は、本発明の実施の形態２に係る産業財産権に関する書面表示システム７００の構成を示すブロック図である。
【００５２】
産業財産権に関する書面表示システム７００は、ネットワーク７０５、管理者端末７０６、利用者端末７０７−１〜７０７−ｎ及び産業財産権に関する書面表示装置７５０から主に構成される。
【００５３】
また、産業財産権に関する書面表示装置７５０は、産業財産権情報格納部７０１、データサーバ７０２、アプリケーションサーバ７０３及びウェブサーバ７０４から主に構成される。
【００５４】
産業財産権情報格納部７０１は、整理標準化データ等の産業財産権情報を格納する。産業財産権情報格納部７０１に格納される産業財産権情報は、２週間毎等の定期的に更新される情報である。
【００５５】
データサーバ７０２は、産業財産権情報格納部７０１に格納している産業財産権情報を所定の周期で取得して格納する。
【００５６】
アプリケーションサーバ７０３は、出願経過情報の表示の依頼をウェブサーバ７０４から受けた際に、データサーバ７０２に格納している産業財産権情報より、出願経過情報を表示するための各種データを取得する。そして、アプリケーションサーバ７０３は、取得したデータをウェブサーバ７０４へ出力する。また、アプリケーションサーバ７０３は、書面データの表示の依頼をウェブサーバ７０４から受けた際に、データサーバ７０２に格納している産業財産権情報より、書面データを表示するための各種データを取得する。そして、アプリケーションサーバ７０３は、取得したデータをウェブサーバ７０４へ出力する。なお、アプリケーションサーバ７０３の詳細な構成については後述する。
【００５７】
ウェブサーバ７０４は、ネットワーク７０５を介して管理者端末７０６または利用者端末７０７−１〜７０７−ｎから出願経過情報の表示の依頼、または書面データの表示の依頼を受け付ける。また、ウェブサーバ７０４は、出願経過情報を表示する依頼を受けた際に、アプリケーションサーバ７０３から、出願経過情報を表示するためのデータを取得する。また、ウェブサーバ７０４は、書面データを表示する依頼を受けた際に、アプリケーションサーバ７０３から、書面データを表示するためのデータを取得する。また、ウェブサーバ７０４は、取得したデータをウェブページで表示するための表示用データに変換するデータ変換処理を実行して表示用データを生成する。そして、ウェブサーバ７０４は、生成した表示用データを表示処理してウェブページデータを生成し、生成したウェブページデータを、ネットワーク７０５を介して管理者端末７０６または利用者端末７０７−１〜７０７−ｎに提供する。なお、ウェブサーバ７０４の詳細な構成については後述する。
【００５８】
ネットワーク７０５は、例えばインターネット等の公衆ネットワーク網であり、産業財産権に関する書面表示装置７５０と、管理者端末７０６及び利用者端末７０７−１〜７０７−ｎとを接続する。
【００５９】
管理者端末７０６は、出願経過情報の表示の依頼、または書面データの表示の依頼を行う。また、管理者端末７０６は、産業財産権に関する書面表示装置７５０から提供されるウェブページデータにより、出願経過情報または書面データをウェブページ上に対比表示する。
【００６０】
利用者端末７０７−１〜７０７−ｎは、出願経過情報の表示の依頼、または書面データの表示の依頼を行う。また、利用者端末７０７−１〜７０７−ｎは、産業財産権に関する書面表示装置７５０から提供されるウェブページデータにより、出願経過情報または書面データをウェブページ上に対比表示する。
【００６１】
次に、アプリケーションサーバ７０３の詳細な構成について、図８を用いて説明する。図８は、アプリケーションサーバ７０３の構成を示すブロック図である。
【００６２】
インターフェース部８０１は、出願経過情報の表示の依頼または書面データの表示の依頼をウェブサーバ７０４から受け取り、受け取った各種依頼を処理内容判別部８０２へ出力する。また、インターフェース部８０１は、データ処理部８０３から入力した出願を特定するデータまたは手続コードをデータサーバ７０２へ出力する。また、インターフェース部８０１は、データサーバ７０２から入力した文字データ及び日付データをデータ処理部８０３へ出力する。また、インターフェース部８０１は、データ処理部８０３から入力した文字データと日付データとを対応付けたデータをウェブサーバ７０４へ出力する。
【００６３】
処理内容判別部８０２は、インターフェース部８０１から入力した各種の依頼内容を判別する。また、処理内容判別部８０２は、判別した結果、受けた依頼が出願経過情報の表示である場合には、依頼された出願の出願経過情報を表示するための文字データと日付データの取得をデータ処理部８０３に指示する。また、処理内容判別部８０２は、判別した結果、受けた依頼が書面データの表示である場合には、依頼された出願の書面の文字データと日付データの取得をデータ処理部８０３に指示する。例えば、処理内容判別部８０２は、出願経過情報または書面データの依頼と共に、出願番号等の出願を特定するデータをウェブサーバ７０４から受け取り、受け取った出願を特定するデータを、文字データと日付データの取得の指示としてデータ処理部８０３へ出力する。
【００６４】
データ処理部８０３は、処理内容判別部８０２からの指示に従って、インターフェース部８０１を介してデータサーバ７０２から文字データと日付データとを取得する。
【００６５】
具体的には、データ処理部８０３は、特定の出願の出願経過情報を表示する依頼を受けた場合に、データサーバ７０２に記憶している産業財産権情報から、対応する出願の各手続コード及び日付データを読み出す。また、データ処理部８０３は、読み出した手続コードを用いて、データサーバ７０２に記憶している文字変換テーブルを参照することにより文字データを選択する。また、データ処理部８０３は、日付データと選択した文字データとを対応付ける対応付け処理を実行する。そして、データ処理部８０３は、文字データと日付データとを対応付けたデータをインターフェース部８０１へ出力する。
【００６６】
また、データ処理部８０３は、出願経過情報における特定のアクションが選択されることにより、選択されたアクションの書面データを表示する依頼を受けた場合に、データサーバ７０２に記憶している産業財産権情報から、対応する出願の指示された書面の書面コードを読み出す。また、データ処理部８０３は、読み出した書面コードを用いて、データサーバ７０２に記憶している文字変換テーブルを参照することにより、文字データを選択する。また、データ処理部８０３は、表示を指示された出願の各書面の提出日または発送日等の日付データをデータサーバ７０２に記憶している産業財産権情報から読み出して、読み出した日付データと選択した文字データとを各々対応付ける対応付け処理を実行する。また、データ処理部８０３は、選択した文字データを、特許庁が発行した書面の文字データと、出願人または第３者が特許庁へ提出した書面の文字データとに選別する選別処理を実行する。そして、データ処理部８０３は、選別処理を実行した後、文字データと日付データとを対応付けたデータをインターフェース部８０１へ出力する。なお、書面データを表示する依頼を受けてから、文字データと日付データとを対応付けるまでのデータ処理部８０３における動作の詳細は、上記の実施の形態１において図４及び図５を用いて説明した動作と同一であるので、その説明を省略する。
【００６７】
次に、ウェブサーバ７０４の詳細な構成について、図９を用いて説明する。図９は、ウェブサーバ７０４の構成を示すブロック図である。
【００６８】
インターフェース部９０１は、出願経過情報の表示の依頼または書面データの表示の依頼を、ネットワーク７０５を介して管理者端末７０６または利用者端末７０７−１〜７０７−ｎから取得し、取得した各種依頼を処理内容判別部９０３へ出力する。また、インターフェース部９０１は、処理内容判別部９０３から入力した出願経過情報または書面データの表示の依頼をアプリケーションサーバ７０３へ出力する。また、インターフェース部９０１は、アプリケーションサーバ７０３から入力した文字データと日付データとを対応付けたデータをデータ変換部９０２へ出力する。また、インターフェース部９０１は、ウェブページ表示部９０５から入力したウェブページデータを、ネットワーク７０５を介して管理者端末７０６または利用者端末７０７−１〜７０７−ｎへ送信する。
【００６９】
データ変換部９０２は、インターフェース部９０１から入力した文字データと日付データとを対応付けたデータを、ウェブページ上で表示可能な表示用データに変換するデータ変換処理を実行して表示用データを生成する。また、データ変換部９０２は、生成した表示用データを表示用データ記憶部９０４へ記憶させる。また、データ変換部９０２は、表示用データ記憶部９０４へ表示用データを記憶させた後に、処理が完了した旨を処理内容判別部９０３へ通知する。
【００７０】
処理内容判別部９０３は、インターフェース部９０１から入力した各種依頼の内容を判別する。また、処理内容判別部９０３は、インターフェース部９０１から出願経過情報の表示の依頼、または書面データの表示の依頼を受けた場合に、依頼を受けた出願の出願経過情報または書面データの表示用データが表示用データ記憶部９０４に記憶されているか否かを判断する。処理内容判別部９０３は、依頼された出願の出願経過情報または書面データの表示用データが表示用データ記憶部９０４に記憶されていない場合には、依頼を受けた出願の出願経過情報または書面データの表示用データを生成するために、文字データと日付データとを対応付けたデータの取得をアプリケーションサーバ７０３に依頼する。そして、処理内容判別部９０３は、データ変換部９０２から表示用データ記憶部９０４へ表示用データを記憶させる処理が完了した通知を受けた際に、表示用データ記憶部９０４からウェブページ表示部９０５へ表示用データを出力させる。
【００７１】
一方、処理内容判別部９０３は、依頼された出願の出願経過情報または書面データの表示用データが表示用データ記憶部９０４にすでに記憶されている場合には、記憶している対応する表示用データを表示用データ記憶部９０４から出力させる。
【００７２】
表示用データ記憶部９０４は、データ変換部９０２から入力した表示用データを記憶する。そして、表示用データ記憶部９０４は、処理内容判別部９０３の出力指示に従って、記憶している表示用データをウェブページ表示部９０５へ出力する。
【００７３】
ウェブページ表示部９０５は、表示用データ記憶部９０４から入力した表示用データをウェブページ上に表示する表示処理を実行する。そして、ウェブページ表示部９０５は、表示処理の実行により生成した例えばＨＴＭＬデータ形式のウェブページデータをインターフェース部９０１へ出力する。
【００７４】
次に、産業財産権に関する書面表示システム７００の動作について、図１０を用いて説明する。図１０は、産業財産権に関する書面表示システム７００の動作を示すシーケンス図である。
【００７５】
最初に、産業財産権情報格納部７０１は、所定の周期で産業財産権情報を取得して格納する（ステップＳＴ１００１）。
【００７６】
次に、データサーバ７０２は、産業財産権情報格納部７０１から産業財産権情報を定期的に取得して格納する（ステップＳＴ１００２）。
【００７７】
次に、管理者端末７０６または利用者端末７０７−１〜７０７−ｎは、特定の出願についての出願経過情報の表示を依頼する（ステップＳＴ１００３）。
【００７８】
次に、ウェブサーバ７０４は、依頼を受けた出願の出願経過情報の表示用データを記憶していないので、受けた依頼をアプリケーションサーバ７０３へ転送する（ステップＳＴ１００４）。
【００７９】
次に、アプリケーションサーバ７０３は、依頼された出願の出願経過情報の文字データと日付データとをデータサーバ７０２から取得する（ステップＳＴ１００５、ステップＳＴ１００６）。
【００８０】
次に、アプリケーションサーバ７０３は、取得した文字データと日付データとを対応付ける対応付け処理を実行し、文字データと日付データとを対応付けたデータをウェブサーバ７０４へ出力する（ステップＳＴ１００７）。
【００８１】
次に、ウェブサーバ７０４は、取得したデータを表示用データに変換するデータ変換処理を実行し、ウェブページデータを管理者端末７０６または利用者端末７０７−１〜７０７−ｎへ出力する（ステップＳＴ１００８）。
【００８２】
次に、管理者端末７０６または利用者端末７０７−１〜７０７−ｎは、出願経過情報をウェブページに表示する。
【００８３】
また、管理者端末７０６または利用者端末７０７−１〜７０７−ｎは、出願経過情報の特定のアクションを選択することにより、選択したアクションの書面データの表示を依頼する（ステップＳＴ１００９）。
【００８４】
次に、ウェブサーバ７０４は、依頼された出願の書面の表示用データを記憶していないので、受けた依頼をアプリケーションサーバ７０３へ転送する（ステップＳＴ１０１０）。
【００８５】
次に、アプリケーションサーバ７０３は、依頼された出願の全ての書面の文字データと日付データとをデータサーバ７０２から取得する（ステップＳＴ１０１１、ステップＳＴ１０１２）。
【００８６】
次に、アプリケーションサーバ７０３は、取得した文字データと日付データとを対応付ける対応付け処理を実行するとともに、特許庁が発行した書面の文字データと、特許庁へ提出した書面の文字データとに選別する選別処理を実行する。そして、アプリケーションサーバ７０３は、選別処理後に、文字データと日付データとを対応付けたデータをウェブサーバ７０４へ出力する（ステップＳＴ１０１３）。
【００８７】
次に、ウェブサーバ７０４は、取得したデータを表示用データに変換するデータ変換処理を実行し、ウェブページデータを管理者端末７０６または利用者端末７０７−１〜７０７−ｎへ出力する（ステップＳＴ１０１４）。
【００８８】
次に、管理者端末７０６または利用者端末７０７−１〜７０７−ｎは、書面データをウェブページ上に対比表示する。
【００８９】
また、管理者端末７０６または利用者端末７０７−１〜７０７−ｎは、同一出願の異なる書面データの表示を依頼した際には（ステップＳＴ１０１５）、ウェブサーバ７０４は、依頼された書面の表示用データをすでに記憶しているので、記憶している表示用データを読み出して、ウェブページデータとして管理者端末７０６または利用者端末７０７−１〜７０７−ｎへ出力する（ステップＳＴ１０１６）。
【００９０】
このように、本実施の形態によれば、特許庁が発行した書面の書面データと特許庁へ提出した書面の書面データとを比較可能に表示することにより、特許庁と出願人等との間の争点の確認を容易に行うことができる。
【００９１】
なお、上記実施の形態１及び実施の形態２において、書面データの表示の依頼を受けた際に書面の文字データと日付データとを対応付ける処理を実行したが、本発明はこれに限らず、出願経過情報を表示する依頼を受けた際に、出願経過情報に関する文字データと日付データとを対応付ける処理と一緒に、書面データに関する文字データと日付データとを対応付ける処理を実行しても良い。この場合には、出願経過情報の特定のアクションの書面データの表示の依頼を受けた際に、書面データを対比表示するまでの処理時間を短縮することができる。また、上記実施の形態１及び実施の形態２において、産業財産権情報はＸＭＬにより取得したが、本発明はこれに限らず、産業財産権情報はＸＭＬ以外の任意の形式のデータにより取得することができる。
【産業上の利用可能性】
【００９２】
本発明にかかる産業財産権に関する書面表示装置及び産業財産権に関する書面表示方法は、特に特許庁が発行した書面の書面データと特許庁へ提出した書面の書面データとを比較可能に表示するのに好適である。
【図面の簡単な説明】
【００９３】
【図１】本発明の実施の形態１に係る産業財産権に関する書面表示装置の構成を示すブロック図
【図２】本発明の実施の形態１に係る産業財産権に関する書面表示装置の動作を示すシーケンス図
【図３】本発明の実施の形態１に係る書面データを対比表示する前の表示部の表示画面を示す図
【図４】本発明の実施の形態１に係るＸＭＬデータ形式の産業財産権情報の一部を示す図
【図５】本発明の実施の形態１に係る記憶部に記憶している文字変換テーブルを示す図
【図６】本発明の実施の形態１に係る書面データを対比表示した場合の表示部の表示画面を示す図
【図７】本発明の実施の形態２に係る産業財産権に関する書面表示システムの構成を示すブロック図
【図８】本発明の実施の形態２に係るアプリケーションサーバの構成を示すブロック図
【図９】本発明の実施の形態２に係るウェブサーバの構成を示すブロック図
【図１０】本発明の実施の形態２に係る産業財産権に関する書面表示システムの動作を示すシーケンス図
【符号の説明】
【００９４】
１００、７５０  産業財産権に関する書面表示装置
１０１  データ取得部
１０２  入力部
１０３  記憶部
１０４  表示用データ生成部
１０５  表示部
【図１】
2010086061.tif 000003
【図２】
2010086061.tif 000004
【図３】
2010086061.tif 000005
【図４】
2010086061.tif 000006
【図５】
2010086061.tif 000007
【図６】
2010086061.tif 000008
【図７】
2010086061.tif 000009
【図８】
2010086061.tif 000010
【図９】
2010086061.tif 000011
【図１０】
2010086061.tif 000012